(57)【要約】      （修正有）【課題】簡易な操作によって射撃モードとセーフモードとに迅速に調整することができると共に、射撃可能状態であるか表示する機能を具えた玩具銃を提供する。【解決手段】玩具銃は、玩具銃本体と、玩具銃本体に回動自在に設けるトリガー構造部１１と、玩具銃本体上で、トリガー構造部の一方の側に形成する少なくとも１以上の孔部１２と、玩具銃本体内に可動な状態に設けてトリガー構造部の動作を制限するストッパー２と、玩具銃本体の内部で、ストッパーの一方の側に設けられ、ストッパーに連動する弾性部材３と、ストッパー上に位置が特定される第１当接部２１と、孔部に可動な状態に設けられる操作部材４と、操作部材上に位置が特定され、第１当接部に当接してストッパーの動作を制限する１以上の第２当接部４１と、操作部材上に位置を特定して１以上形成され、玩具銃本体外部に露出してトリガー構造部が回動状態にあることを表示するか、もしくは操作部材により玩具銃本体内に隠蔽された状態となる表示部５と、を含む。【選択図】図３
0003226327.tif 000002
【実用新案登録請求の範囲】
【請求項１】
玩具銃本体と、
該玩具銃本体に回動自在に設けるトリガー構造部と、
該玩具銃本体上であって、かつ該トリガー構造部の一方の側に形成する少なくとも１以上の孔部と、
該玩具銃本体内に可動な状態に設けて該トリガー構造部の動作を制限するストッパーと、
該玩具銃本体の内部であって、かつ該ストッパーの一方の側に設けられ、該ストッパーに連動する弾性部材と、
該ストッパー上に位置を特定して形成される第１当接部と、
該孔部に可動な状態に設けられる操作部材と、
操作部材４上に位置を特定してなり、該第１当接部に当接して該ストッパーの動作を制限する少なくとも１以上の第２当接部と、
該操作部材上に位置を特定して少なくとも１以上形成され、かつ該玩具銃本体外部に露出して該トリガー構造部が回動できる状態にあることを表示するか、もしくは該操作部材によって該玩具銃本体内に隠蔽された状態となる表示部と、を含むことを特徴とする表示機能を有するセーフティ構造を具えた玩具銃。
【請求項２】
前記トリガー構造部には凸状位置制限部を設け、かつ該ストッパー上には位置制限ブロックを設け、該第１当接部には少なくとも１以上のガイド傾斜面を形成し、該第２当接部には該第１ガイド傾斜面に当接する第２ガイド傾斜面を形成することを特徴とする請求項１に記載の表示機能を有するセーフティ構造を具えた玩具銃。
【請求項３】
前記ストッパーの一方の側に第１位置制限部が形成され、該玩具銃本体内に、該第１位置制限部に当接する第２位置制限部が形成されることを特徴とする請求項２に記載の表示機能を有するセーフティ構造を具えた玩具銃。
【請求項４】
前記操作部材が少なくとも１以上の弾力部を具え、かつ該弾力部が該位置決め部に対応して連結する係合部を具えることを特徴とする請求項１に記載の表示機能を有するセーフティ構造を具えた玩具銃。
【請求項５】
前記孔部と、前記弾力部と、及び前記第２当接部の数を２とし、該操作部材の両端に該玩具銃本体の外部に突出する押圧部をそれぞれ凸設し、該２つの弾力部がそれぞれ該操作部材に対して逆方向に設けられ、かつ該弾力部の一端には該玩具銃本体の内壁に当接する接触面を形成し、該第２当接部が操作部材の互いに離れた両側に位置を特定して形成され、該操作部材を該孔部に逆方向に設けることによって該表示部が該操作部材を設ける方向に基づいて該２つの孔部の内の一つに近接して位置することを特徴とする請求項４に記載の表示機能を有するセーフティ構造を具えた玩具銃。
【考案の詳細な説明】
【技術分野】
【０００１】
この考案は玩具銃に関し、特に玩具銃本体に設けてトリガー構造部を押圧することができなくするセーフティであって、かつセーフモードが解除されて射撃できる状態であることを表示する効果を兼ね備えた表示機能を有するセーフティ構造を具えた玩具銃に関する。
【背景技術】
【０００２】
従来の玩具銃におけるセーフティは、ほとんどが槓杆タイプのものであって、通常玩具銃は少なくともセーフモードと、単発モードとを具え、またはバーストモードやフルオートモードの機能を有するものまであり、セーフティの角度や位置を調整することによってトリガー又はハンマーの動作の幅を変更して異なる射撃モードの状態を実現させる。
【０００３】
然しながら、上述するセーフティを使用する場合、以下の問題があり改善全が望まれている。
【０００４】
１、ユーザーが目下の射撃モードの状態を確認するためにはセーフティに近接した位置に標示される文字によって、目下の射撃モードが如何なる状態にあるか認識するしかなく、もしくは長時間の使用を経てセーフティの角度や位置が表わす射撃モードの状態を覚えることしかできない。
【０００５】
２、それぞれの射撃モードにおけるセーフティの角度や位置の差異が大きくない。よって、改めて調整し直すか、又は正面から見なければ、目下の射撃モードの状態を短時間で認識することができない。しかも、従来のセーフティには認識のための目立った特徴がなく、ユーザーが目下のセーフティの状態を確認することを容易に忘れてしまう。
【０００６】
３、従来のセーフティは、一般に右利きのユーザーの使用に適した位置に設けられ、同一の玩具銃において異なる利き手の使用にいずれも適用できるセーフティはない。
【考案の概要】
【考案が解決しようとする課題】
【０００７】
簡易な操作によって射撃モードとセーフモードとに迅速に調整することができ、同時に表示部を具えて射撃可能状態であるか表示する機能を具えた表示機能を有するセーフティ構造を具える玩具銃を提供することを課題とする。
【課題を解決するための手段】
【０００８】
この考案は、操作部材に目立つ表示部を設けて、該表示部の位置が隠れるか、もしくは露出することで、目下射撃可能状態にあるかをユーザーに選択的に提示する表示機能を有するセーフティ構造を具えた玩具銃を提供するものであって、即ち、玩具銃本体と、該玩具銃本体に回動自在に設けるトリガー構造部と、該玩具銃本体上であって、かつ該トリガー構造部の一方の側に形成する少なくとも１以上の孔部と、該玩具銃本体内に可動な状態に設けて該トリガー構造部の動作を制限するストッパーと、該玩具銃本体の内部であって、かつ該ストッパーの一方の側に設けられ、該ストッパーに連動する弾性部材と、該ストッパー上に位置を特定して形成される第１当接部と、該孔部に可動な状態に設けられる操作部材と、操作部材４上に位置を特定してなり、該第１当接部に当接して該ストッパーの動作を制限する少なくとも１以上の第２当接部と、該操作部材上に位置を特定して少なくとも１以上形成される少なくとも１以上の表示部と、を含んでなる。
【０００９】
玩具銃本体が射撃可能な状態に在る場合、ストッパーは弾性部材に押されてトリガー構造部から離れた一方の側に至る。このためトリガー構造部は正常な射撃のアクションを行なうことができる。この場合、表示部は玩具銃本体の外部に露出して、ユーザーに射撃が可能な射撃モードにあることを表示する。また、操作部材を押圧した場合、係る動作に伴い、表示部が孔部内に隠蔽され、かつ操作部材の第２当接部がストッパーの第１当接部を押すことから、弾性部材の弾力に抗してストッパーがトリガー構造部に対して位置の制限を行なう。よって、射撃不可のセーフモードとなる。したがって、押圧するという簡易な動作で操作部材が射撃モードとセーフモードとの間の調整を迅速に行い、同時に表示部によって表示し、注意を与えるという目的を達成することができる。
【図面の簡単な説明】
【００１０】
【図１】この考案によるセーフティ構造を示した説明図である。
【図２】この考案によるセーフティ構造の側面図である。
【図３】この考案によるセーフティ構造を分解した状態を示した説明図である。
【図４】この考案における操作部材の斜視図である。
【図５】この考案におけるストッパーと操作部材との関係を示した説明図である。
【図６】この考案による玩具銃の射撃の動作を示した説明図である。
【図７】この考案における押圧の動作を示した説明図である。
【図８】この考案における当接の動作を示した説明図である。
【図９】この考案におけるセーフモードを示した説明図である。
【図１０】この考案におけるセーフモード解除の動作を示した説明図である。
【図１１】他の実施形態であって、部材を逆方向に組み立てる状態を示した説明図である。
【図１２】別の実施の形態における押圧の動作を示した説明図である。
【図１３】別の実施の形態における押圧の動作を示した他の説明図である。
【考案を実施するための形態】
【実施例】
【００１１】
図１から図５に開示するように、この考案による表示機能を有するセーフティ構造を具えた玩具銃は、玩具銃本体１と、トリガー構造部１１と、ストッパー２と、弾性部材３と、第１当接部２１と、操作部材４と、第２当接部４１と、及び表示部５とを含んでなる。
【００１２】
玩具銃本体１は、銃身１４と、銃身１４に連結するベース部１３とを含んでなり、玩具銃本体１のベース部１３は内部に第２位置制限部１３１と、位置決め部１３２とを具える。
【００１３】
トリガー構造部１１は、玩具銃本体１に回動自在に設ける。トリガー構造部１１には凸状位置制限部１１１と、玩具銃本体１上であって、かつトリガー構造部１１の一方の側に位置する少なくとも１以上の孔部１２とを具える。
【００１４】
ストッパー２は玩具銃本体１内に可動な状態に設けてトリガー構造部１１の回動の動作を制限する。ストッパー２上には凸状位置制限部１１１に対応する位置制限ブロック２２と、及び第２位置制限部１３１に当接する第１位置制限部２３とを設ける。
【００１５】
弾性部材３は、玩具銃本体１の内部であって、かつストッパー２の一方の側に設けられ、ストッパー２に連動する。
【００１６】
第１当接部２１はストッパー２上に位置を特定してなり、かつ第１当接部２１には少なくとも１以上のガイド傾斜面２１１を形成する。
【００１７】
操作部材４は、孔部１２に可動な状態で設けられ、かつ操作部材４は少なくとも１以上の弾力部４２を具え、弾力部４２は位置決め部１３２に対応して連結する係合部４２１を具える。
【００１８】
第２当接部４１は、操作部材４上に位置を特定して形成され、第１当接部２１に当接してストッパー２の動作を制限する。第２当接部４１上には、第１ガイド傾斜面２１１に当接する第２ガイド傾斜面４１１が形成される。
【００１９】
表示部５は、操作部材４上に位置を少なくとも１以上特定してなり、かつ玩具銃本体１外部に露出してトリガー構造部１１が回動できる状態にあることを表示し、また、操作部材４によって玩具銃本体１内に隠蔽された状態になる。
【００２０】
別途、孔部１２の数が２である場合、操作部材４は両端に、玩具銃本体１の外部に突出する押圧部４３をそれぞれ凸設する。また、弾力部４２の数が２である場合、弾力部４２の一端には、玩具銃本体１の内壁に当接する接触面４２２を形成する。
【００２１】
図１から図１０においては、玩具銃本体１が拳銃の形態をなす実施の形態を例として開示し、操作部材４は玩具銃本体１のベース部１３上に連結し、セーフティ構造を為すべく用いられる。実施例において、孔部１２、弾力部４２、押圧部４３は、いずれも数を２とする実施の形態となっている。
【００２２】
図６に開示するように、射撃する状態においては、弾性部材３の両端が玩具銃本体１のベース部１３とストッパー２の第１位置制限部２３とにそれぞれ当接するが、ベース部１３は銃身１４に固定されるため移動しない。このため、ストッパー２は弾性部材３の弾力による押圧を受けてトリガー構造部１１の一方の側から離れる方向に移動する。よって、トリガー構造部１１の凸状位置制限部１１１はストッパー２の位置制限ブロック２２を避けて正常な射撃のアクションを行なうことができる。この場合、表示部５が玩具銃本体１の外部に露出する。表示部５は、例えば赤色の樹脂のバーによってなる実施の形態とするなど目立つデザインにすることで、目下射撃可能モードにあることを効率よくユーザーに標示することができ、ユーザーが誤射するリスクを低減させることができる。
【００２３】
図７に開示するように、操作部材４の押圧部４３を押圧すると、操作ユニット４は孔部１２の位置から玩具銃本体１の内部に向かって移動し、操作部材４上に設けた表示部５が、係る移動にともなって孔部１２内に移動し隠蔽される。而も、操作部材４が内方向に移動すると、同時に弾力部４２が連動して内方向に移動し、係合部４２１が位置決め部１３２に抵触する、よって、実施例における弾力部４２は一端を操作部材４に固定し、他端を自由端とした短冊状をなす。このため、位置決め部１３２に抵触する場合、圧縮された空間が提供され、係合部４２１は位置決め部１３２を避けることができる。さらに、操作部材４１が継続して内方向に移動すると、弾力部４２が復帰する付勢力によって係合部４２１が位置決め部１３２に固定され操作部材４を固定する目的が達成される。
【００２４】
図８、９に開示するように、ストッパー２は弾性部材３の弾力を受けて移動する。このため玩具銃本体１内部の凹溝状の第２位置決め部１３１によってストッパー２の第１位置決め部２３に対して移動範囲の制限が行われる。而も、操作部材４が内方向に移動すると同時に、操作部材４の第２当接部２１がストッパー２の第１当接部２１に当接し、第１位置制限部２３と第２位置制限部１３１との効果によって第１ガイド傾斜面２１１と第２ガイド傾斜面４１１との当接を確保することができる。さらに、第１傾斜面２１１と第２ガイド傾斜面４１１とによって、ユーザーが押圧する外部からの力の作用する方向が９０°転換し、弾性部材３の付勢力でストッパー２がトリガー構造部１１に向かって押される。この場合、トリガー構造部１１の凸状位置制限部１１１はストッパー２の位置制限ブロック２２による阻止を受けて、正常なアクションを起こすことができなくなる。したがって、射撃不可のセーフモードとなる。
【００２５】
別途、前述するように実施例における弾性部材３は圧縮バネであって、操作部材４が内方向に収縮する場合、第２当接部４１に押されて収縮する。よって、弾性部材３が力を受けていない状態においてストッパー２は常態的にトリガー構造部１１から離れている。逆に、弾性部材３が引っ張りバネであれば、弾性部材３が力を受けていない状態においてストッパー２は常態的にトリガー構造部１１に近づいている。但し、トリガー構造部１１の形状を変化させ、トリガー構造部１１を押圧する度に第１当接部２１を押圧するようにしても、やはりトリガーのアクションを実現できる。係るデザインにした場合、操作部材４が内方向に収縮しても第２当接部４１は第１当接部２１に接触することなく、第１当接部２１の一方の側でスタンバイ状態になるだけであって、トリガー構造部１１が第１当接部２１を押そうとすると、位置を制限する。よって、トリガー構造部１１を押圧することができなくなる。
【００２６】
図１０に開示するように、ユーザーが再度セーフモードを解除する場合は、玩具銃本体１の表示部５と反対の側から、もう一つの孔部１２から凸出した押圧部４３を押圧し、操作部材４を逆方向に移動させることによって表示部５を再度玩具銃本体１の外部に露出させる。操作部材４が逆方向に移動すると、弾力部４２は位置決め部１３２に係合しない。これは、操作部材４に逆方向に設けるからである。よって、その端面部の接触面４２２が玩具銃本体１の内壁に抵触することで、ユーザーの押圧する力が強すぎて操作部材４全体が玩具銃本体１から離脱することを防ぐ。
【００２７】
図１１に開示する実施の形態においては、第２当接部４１ａの数を増やして２つにし、かつ操作部材４ａの互いに離れた両側に位置を特定する。このように構成することによって、操作部材４ａを逆方向に設け、また２つ目の第２当接部４１ａによって第１当接部に抵触させることもでき、同様にトリガー構造部１１ａの位置を制限することができる。さらに重要なことは、表示部５ａを露出させる位置を玩具銃本体１ａの左側の孔部１２ａにするか、右側の孔部１２ａにするか、選択することができる。即ち、ユーザーの目視の習慣、もしくは利き手による操作の習慣によって、表示部５ａを露出させる位置を自在に選択することができる。
【００２８】
図１２、１３に開示する実施の形態においては、孔部１２ｂ、弾力部４２ｂ、押圧部４３ｂの数をいずれも１とする。この場合、操作部材４ｂは、例えばプッシュボタンを押してメモリカード取り出すようなプッシュポップアップタイプとする。即ち、押圧すると係合し、さらに押圧すると係合が開放されてポップアップする。具体的に述べると、弾力部４２ｂはラビリンス溝構造を具え、位置決め部１３２ｂはラビリンス溝構造内を自在に移動するフック状のガイドロッドであって、係合部４２１ｂはラビリンス溝内においてフック状のガイドロッドの固定に供するＶ字状の溝である（係る構造は、メモリカードに関するデザインとして周知の技術であるので、その動作の原理などについては説明を省く）。係る構成によれば、ユーザーが操作部材４ｂの押圧部４３ｂを押した場合、スイッチがロックされ係合した状態であれば、表示部５ｂは孔部１２ｂ内に隠蔽され、逆であれば孔部１２ｂの外に露出する。
【符号の説明】
【００２９】
１    玩具銃本体
１ａ    玩具銃本体
１１    トリガー構造部
１１ａ    トリガー構造部
１１１    凸状位置制限部
１２    孔部
１２ａ    孔部
１２ｂ    孔部
１３    ベース部
１３１    第２位置制限部
１３２    位置決め部
１３２ｂ    位置決め部
１４    銃身
２    ストッパー
２１    第１当接部
２１１    第１ガイド傾斜面
２２    位置制限ブロック
２３    第１位置制限部
３    弾性部材
４    操作部材
４ａ    操作部材
４ｂ    操作部材
４１    第２当接部
４１ａ    第２当接部
４１１    第２ガイド傾斜面
４２    弾力部
４２ｂ    弾力部
４２２    接触面
４３    押圧部
４３ｂ    押圧部
５    表示部
５ａ    表示部
５ｂ    表示部
【図１】
0003226327.tif 000003
【図２】
0003226327.tif 000004
【図３】
0003226327.tif 000005
【図４】
0003226327.tif 000006
【図５】
0003226327.tif 000007
【図６】
0003226327.tif 000008
【図７】
0003226327.tif 000009
【図８】
0003226327.tif 000010
【図９】
0003226327.tif 000011
【図１０】
0003226327.tif 000012
【図１１】
0003226327.tif 000013
【図１２】
0003226327.tif 000014
【図１３】
0003226327.tif 000015
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
玩具銃本体と、
該玩具銃本体に回動自在に設けるトリガー構造部と、
該玩具銃本体上であって、かつ該トリガー構造部の一方の側に形成する少なくとも１以上の孔部と、
該玩具銃本体内に可動な状態に設けて該トリガー構造部の動作を制限するストッパーと、
該玩具銃本体の内部であって、かつ該ストッパーの一方の側に設けられ、該ストッパーに連動する弾性部材と、
該ストッパー上に位置を特定して形成される第１当接部と、
該孔部に可動な状態に設けられる操作部材と、
操作部材４上に位置を特定してなり、該第１当接部に当接して該ストッパーの動作を制限する少なくとも１以上の第２当接部と、
該操作部材上に位置を特定して少なくとも１以上形成され、かつ該玩具銃本体外部に露出して該トリガー構造部が回動できる状態にあることを表示するか、もしくは該操作部材によって該玩具銃本体内に隠蔽された状態となる表示部と、を含むことを特徴とする表示機能を有するセーフティ構造を具えた玩具銃。
【請求項２】
前記トリガー構造部には凸状位置制限部を設け、かつ該ストッパー上には位置制限ブロックを設け、該第１当接部には少なくとも１以上の第１ガイド傾斜面を形成し、該第２当接部には該第１ガイド傾斜面に当接する第２ガイド傾斜面を形成することを特徴とする請求項１に記載の表示機能を有するセーフティ構造を具えた玩具銃。
【請求項３】
前記ストッパーの一方の側に第１位置制限部が形成され、該玩具銃本体内に、該第１位置制限部に当接する第２位置制限部が形成されることを特徴とする請求項２に記載の表示機能を有するセーフティ構造を具えた玩具銃。
【請求項４】
前記操作部材が少なくとも１以上の弾力部を具え、かつ該弾力部が位置決め部に対応して連結する係合部を具えることを特徴とする請求項１に記載の表示機能を有するセーフティ構造を具えた玩具銃。
【請求項５】
前記孔部と、前記弾力部と、及び前記第２当接部の数を２とし、該操作部材の両端に該玩具銃本体の外部に突出する押圧部をそれぞれ凸設し、該２つの弾力部がそれぞれ該操作部材に対して逆方向に設けられ、かつ該弾力部の一端には該玩具銃本体の内壁に当接する接触面を形成し、該第２当接部が操作部材の互いに離れた両側に位置を特定して形成され、該操作部材を該孔部に逆方向に設けることによって該表示部が該操作部材を設ける方向に基づいて該２つの孔部の内の一つに近接して位置することを特徴とする請求項４に記載の表示機能を有するセーフティ構造を具えた玩具銃。